(57)【要約】注射器安定装置はベースおよび注射器支持体を有する。注射器支持体は、ベースの上に垂直に配設され、輸液セットの流体で満たされた部分をベースの上に垂直に引き上げて、流体で満たされた部分の送達端部を水平面に対して上方に配向し、流体で満たされた部分から患者への流体の送達中に、流体に対する重力の効果を利用する。注射器支持体は、第１の保定装置および選択的に作動されるチューブクランプを備える。第１の保定装置は、ユーザのさらなる介入なしで輸液セットの剛直性部分を収容かつ保持する開口部を有する。選択的に作動されるチューブクランプが第１の保定装置と動作可能に整列され、可撓性チューブが、輸液セットの剛直性部分からチューブクランプを通って延在する。
2019520141.tif 000002
【特許請求の範囲】
【請求項１】
注射器安定装置であって、
ベースと、
前記ベースの上に垂直に配設され、輸液セットの流体で満たされた部分を前記ベースの上に垂直に引き上げて、前記流体で満たされた部分の送達端部を水平面に対して上方に配向し、前記流体で満たされた部分から患者への流体の送達中に、前記流体に対する重力の効果を利用する注射器支持体であって、
ユーザのさらなる介入なしで前記輸液セットの剛直性部分を収容してその中に保持する開口部を有する第１の保定装置と、
前記第１の保定装置と動作可能に整列され、選択的に作動されるチューブクランプであって、可撓性チューブが前記輸液セットの前記剛直性部分から前記チューブクランプを通って延在する、チューブクランプとを備える、注射器支持体とを備え、
前記選択的に作動されるチューブクランプが、前記流体で満たされた部分の前記送達端部からの前記流体の流れを可能にするために、ユーザの第１の腕によって解放可能である一方で、ユーザの第２の腕が、前記ユーザが前記流体の流れを前記第２の腕に受けるとき実質的に静止したまま、前記ベースに対して安定させる力を提供する、注射器安定装置。
【請求項２】
前記第１の保定装置が前記注射器支持体の上面における長手方向スロットであり、前記長手方向スロットが、注射器バレルの内部に配設されたプランジャが前記送達端部に向かって押し下げられるとき、摩擦によって、前記輸液セットの前記剛直性部分に接合された前記注射器バレルの位置および配向を維持するに十分な抵抗力で前記輸液セットの前記剛直性部分と係合する、請求項１に記載の注射器安定装置。
【請求項３】
前記注射器支持体が、前記長手方向スロットと交差する横断スロットをさらに備え、前記チューブクランプが前記横断スロットの内部にあり、かつその内部でスライド可能な、請求項２に記載の注射器安定装置。
【請求項４】
前記チューブクランプが、前記長手方向スロットと整列可能な開口部を有するチューブ受け部と、前記長手方向スロットに対して略横断方向にあるクランプ区分とを備え、前記クランプ区分が、前記チューブクランプが前記長手方向スロットの内部で前記長手方向スロットを横切る方向にスライドするとき前記輸液セットの可撓性チューブを締め付けるように構成された断面面積を有する、請求項３に記載の注射器安定装置。
【請求項５】
前記クランプ区分の断面面積が前記チューブ受け部の断面面積よりも小さい、請求項４に記載の注射器安定装置。
【請求項６】
前記横断スロットが、前記横断スロットの長さと平行な方向に延在する窪んだ陥凹を有し、前記チューブクランプが、前記陥凹の内部に凸状のスナップフィット保持部を有し、前記チューブクランプの内部で前記可撓性チューブをクランプおよび解放する作動の間、その中を横切ることができる、請求項４に記載の注射器安定装置。
【請求項７】
前記長手方向スロットが、前記輸液セットの前記剛直性部分を収容かつ保持するように構成された第１の横断方向断面積を有する第１のセグメントと、前記可撓性チューブを収容かつ保持するように構成された第２の横断方向断面積を有する第２のセグメントとを有する、請求項４に記載の注射器安定装置。
【請求項８】
前記横断スロットが前記長手方向スロットの前記第２のセグメントと交差する、請求項５に記載の注射器安定装置。
【請求項９】
前記ベースが持運び可能であって人間工学的ハンドセットを備え、前記ユーザが、第２の手で、ワーク面に対して前記人間工学的ハンドセットを係合させることにより、前記注射器安定装置を安定させる、請求項１に記載の注射器安定装置。
【請求項１０】
前記人間工学的ハンドセットが指輪である、請求項５に記載の注射器安定装置。
【請求項１１】
前記人間工学的ハンドセットが、注射器支持体の上面の表面積よりも大きい表面積を有する前記ベースの上面上に配置されている、請求項５に記載の注射器安定装置。
【請求項１２】
前記ベースが、前記ユーザの第２の腕を載せる略平坦なワーク面によって支持されるようなサイズかつ形状にされた係合面を有する、請求項７に記載の注射器安定装置。
【請求項１３】
前記注射器支持体が、垂直に配向されたステムによって前記ベースと一体に接合され、単一ピースの単体の構成を形成する、請求項１に記載の注射器安定装置。
【請求項１４】
前記注射器支持体が、輸液セットの部分を受け入れて前記輸液セットの前記部分を保持するように構成された長手方向スロットを有する上面を備え、前記輸液セットの注射器バレルは、前記注射器バレルの送達端部が注射器プランジャの下で垂直にオフセットされて、前記注射器バレルが前記ベースに対して高められた位置に保持されるように水平軸上の角度で配向されており、前記角度が５度よりも大きく、かつ９０度未満であって、前記輸液セットの前記部分と前記長手方向スロットの間の摩擦係合が、前記バレルの内部に配設されたプランジャが前記送達端部に向かって押し下げられるとき、前記注射器バレルの位置および配向を維持するに十分である、請求項９に記載の注射器安定装置。
【請求項１５】
注射器バレルおよび前記バレルの内部でスライド可能なプランジャを備える注射器をさらに備える、請求項１に記載の注射器安定装置。
【請求項１６】
肝臓疾患によって引き起こされた止血障害を処置する治療液を前記注射器バレルの内部にさらに含む、請求項１５に記載の注射器安定装置。
【請求項１７】
出血性障害を処置する治療液を前記注射器バレルの内部にさらに含む、請求項１５に記載の注射器安定装置。
【請求項１８】
前記出血性障害が凝固因子の欠損症である、請求項１７に記載の注射器安定装置。
【請求項１９】
前記凝固因子が、第Ｖ因子、第ＶＩＩＩ因子、第ＩＸ因子、第ＸＩ因子、またはフォンビルブラント因子である、請求項１８に記載の注射器安定装置。
【請求項２０】
前記注射器バレルの内部の前記治療液が、組換え因子ＶＩＩＩ（ｒＦＶＩＩＩ）、凝血促進剤バイパス薬、または組換えフォンビルブラント因子（ｒＶＷＦ）である、請求項１７に記載の注射器安定装置。
【請求項２１】
前記注射器が、前記注射器支持体に取り付けられたフィッティングにねじ止めされている、請求項１５に記載の注射器安定装置。
【請求項２２】
前記注射器支持体の内部の取り外し可能なフィッティング受け部であって、輸液セットのフィッティングの部分をその中に収容かつ保持するように構成されたスロットを有する、フィッティング受け部をさらに備える、請求項１に記載の注射器安定装置。
【請求項２３】
注射器安定装置であって、
ワーク面におよび人間工学的ハンドセット対して注射器スタビライザを支持する係合面を有する持運び可能なベースと、
前記ベースの上に垂直に配設された注射器支持体であって、
輸液セットの一部分をその中に受け入れ、かつ前記輸液セットの一部分を保持するように構成された長さ方向の開口部を有する第１のチャネルであって、前記輸液セットの注射器バレルは、前記注射器バレルの送達端部が注射器プランジャの下で垂直にオフセットされて、前記注射器バレルが前記ベースに対して高められた位置に保持されるように水平軸上の角度で配向されており、前記角度が５度よりも大きく、かつ９０度未満である、第１のチャネルと、
前記第１のチャネルと交差して横切る第２のチャネルであって、選択的に作動されるチューブクランプは、前記第２のチャネルの内部に配設され、その中でスライド可能であり、前記チューブクランプが、前記第１のチャネルと整列可能な開口部を有するチューブ受け部、および前記第１のチャネルに対し略横断方向のクランプ区分を備え、前記クランプ区分が、前記チューブクランプが前記第２のチャネルの内部で前記第１のチャネルを横切る方向にスライドするとき前記輸液セットの可撓性チューブを締め付けるように構成された断面面積を有する、第２のチャネルとを備える、注射器支持体とを備える、注射器安定装置。
【請求項２４】
前記選択的に作動されるチューブクランプが、ユーザの第１の腕によって解放可能であり、前記注射器の前記バレルの前記送達端部からの前記流体の流れを可能にする一方で、前記ユーザの第２の腕が、前記ユーザが前記第２の腕に前記流体の流れを受けるとき実質的に静止したまま、前記ベースの前記人間工学的ハンドセットに対して安定させる力を提供する、請求項２３に記載の注射器安定装置。
【請求項２５】
前記注射器支持体が、垂直に配向されたステムによって前記ベースと一体に接合され、それとともに単一ピースの単体の構成を形成する、請求項２４に記載の注射器安定装置。
【請求項２６】
前記注射器支持体の内部の取り外し可能なフィッティング受け部であって、輸液セットのフィッティングの部分をその中に収容かつ保持するように構成されたスロットを有する、フィッティング受け部をさらに備える、請求項２５に記載の注射器安定装置。
【請求項２７】
注射器安定装置であって、
ベースと、
前記ベースの上に垂直に配設され、輸液セットの流体で満たされた部分を前記ベースの上に垂直に引き上げて、前記流体で満たされた部分を水平面に対して９０度未満の角度で上方へ向け、前記流体で満たされた部分から患者への流体の送達中に、前記流体に対する重力の効果を利用する注射器支持体であって、
ユーザのさらなる介入なしで前記輸液セットの剛直性部分をその中に収容かつ保持する開口部を有する第１の保定装置と、
前記第１の保定装置と動作可能に整列され、選択的に作動されるチューブクランプであって、可撓性チューブが前記輸液セットの前記剛直性部分から前記チューブクランプを通って延在する、チューブクランプとを備える、注射器支持体とを備え、
前記ベースおよび注射器支持体の配置は、治療液を自己投与している患者が、第１の腕で前記チューブクランプおよび前記流体で満たされた部分を操作し得る一方で、第２の腕を実質的に静止させたまま前記ベースに対して安定させる力を提供し、前記輸液セットを介して前記第２の腕に治療液を受けるように、前記輸液セットの前記流体で満たされた部分を位置決め、配向、かつ保持する、注射器安定装置。
【請求項２８】
注射器安定装置を使用する方法であって、
第１の腕を使用して、チューブクランプを、前記チューブクランプの内部の管が締めつけられ、かつ閉じられる閉位置へ移動するステップと、
輸液セットのカニューレが第２の腕に取り付けられたままであるように、前記第２の腕で前記注射器スタビライザのベースを安定させながら、前記注射器安定装置に取り付けられたフィッティングから、前記第１の腕を使用してねじを回して前記第１の注射器を分離するステップと、
前記第２の腕で前記ベースを安定させながら、前記第１の腕を使用して前記フィッティングに第２の注射器をねじ止めするステップと、
前記第２の腕が安定した状態で、前記第１の腕を使用して前記チューブクランプを開位置へ移動するステップとを含む、方法。
【請求項２９】
前記カニューレを通し介して前記第２の腕に流体を押し込むために、前記第２の腕で前記ベースを安定させながら、前記第１の腕を使用して前記第２の注射器のプランジャを前記第２の注射器の送達端部に向かって押し進めるステップをさらに含む、請求項２８に記載の方法。
【請求項３０】
前記注射器スタビライザが、
前記ベースの上に垂直に配設された注射器支持体であって、前記第２の注射器を前記ベースの上に垂直に引き上げて、前記第２の注射器の送達端部を水平面に対して上方に配向し、注射器からユーザへの流体の送達中に、前記流体に対する重力の効果を利用する、注射器支持体を備え、前記注射器支持体が、
ユーザのさらなる介入なしで輸液セットの剛直性部分を収容かつ保持する開口部を有する第１の保定装置と、
前記第１の保定装置と動作可能に整列され、選択的に作動されるチューブクランプであって、可撓性チューブが前記輸液セットの前記剛直性部分から前記チューブクランプを通って延在する、チューブクランプとを備え、
前記選択的に作動されるチューブクランプが、ユーザの第１の腕によって解放可能であり、前記流体で満たされた部分の前記送達端部からの前記流体の流れを可能にし、ユーザの第２の腕が、前記ユーザが前記第２の腕に前記流体の流れを受けるとき実質的に静止したまま、前記ベースに対して安定させる力を提供する、請求項２８に記載の方法。
【請求項３１】
前記注射器スタビライザの前記ベースが持運び可能であり、ワーク面および人間工学的ハンドセットに対して前記注射器スタビライザを支持する係合面を有し、前記注射器スタビライザが、
前記ベースの上に垂直に配設された注射器支持体であって、
輸液セットの一部分を受け入れ、かつ前記輸液セットの一部分をその中に保持するように構成された長さ方向の開口部を有する第１のチャネルであって、前記輸液セットの注射器バレルは、前記注射器バレルの送達端部が注射器プランジャの下で垂直にオフセットされて、前記注射器バレルが前記ベースに対して高められた位置に保持されるように水平軸上の角度で配向されており、前記角度が５度よりも大きく、かつ９０度未満である、第１のチャネルと、
前記第１のチャネルと交差して横切る第２のチャネルであって、選択的に作動されるチューブクランプは、前記第２のチャネルの内部に配設され、その中でスライド可能であり、前記選択的に作動されるチューブクランプが、前記第１のチャネルと整列可能な開口部を有するチューブ受け部、および前記第１のチャネルに対し略横断方向のクランプ区分を備え、前記クランプ区分が、前記選択的に作動されるチューブクランプが前記第２のチャネルの内部で前記第１のチャネルを横切る方向にスライドするとき前記輸液セットの可撓性チューブを締め付けるように構成された断面面積を有する、第２のチャネルとを備える、注射器支持体をさらに備える、請求項２８に記載の方法。
【発明の詳細な説明】
【技術分野】
【０００１】
背景
特定の疾患に苦しむ患者は、輸液セットによって患者の手を含む腕に送達される治療を頻繁に受けなければならないことが多い。この治療中に、流体で満たされた注射器は、医療用チューブを介して針またはカニューレを通って患者に送達される薬物を含む。
【背景技術】
【０００２】
特に凝固因子の先天性欠損症または後天性欠損症といった出血性疾患は、一般的には因子補充によって処置される。先天性凝固障害は、血友病、凝固因子ＶＩＩＩの欠損症（血友病Ａ）または凝固因子ＩＸの欠損症（血友病Ｂ）に関する劣性のＸ連鎖障害、およびフォンビルブラント因子の重い欠損症をともなうまれな出血性障害であるフォンビルブラント病を含む。血友病Ｃは、第ＸＩ因子の欠損症によって引き起こされる血友病の軽症型である。血友病Ｃは通常は無症候性であるが、手術中に因子補充治療を必要とすることがある。後天性凝固障害は、疾患経過の結果として出血の既往歴のない各個人に生じることがある。たとえば、後天性凝固障害は、インヒビタもしくは第ＶＩＩＩ因子、フォンビルブラント因子、第ＩＸ因子、第Ｖ因子、第ＸＩ因子、第ＸＩＩ因子および第ＸＩＩＩ因子などの血液凝固因子に対する自己免疫によりまたは肝臓疾患によって引き起こされる凝固因子の合成低下に関連した止血障害によって、引き起こされ得る。血友病Ａおよび第ＶＩＩＩ因子インヒビタの患者に対する伝統的治療は、組換え因子ＶＩＩＩ（ｒＦＶＩＩＩ）のような治療、またはたとえばＦＥＩＢＡもしくは組換え因子ビラといった凝血促進剤バイパス薬によって達成される。フォンビルブラント病に対する伝統的治療は、組換えフォンビルブラント因子（ｒＶＷＦ）のような治療によって達成される。
【０００３】
いくつかの静脈の生物学的処置は、所望の用量レジメンまたは治療レジメンを達成するために複数の連続した注射器の管理を必要とする。これは、１）液量が大きいため、２）単一の注射器に貯留することによって生物製剤の特性に悪影響があるとき、または３）複数の生物学的製剤を単一の注射器に貯留せずに共に投与しなければならないとき、生じる可能性がある。
【０００４】
頻度が増加することにより、生物製剤の自宅設定の自己投与は医療従事者による臨床設定の投与よりも好まれる。患者にできるようにすることは、コスト効率が良く、しかも患者の生活に対する全般的な影響を軽減する。しかしながら、複数の注射器の静脈内投与に固有の事例では、自己投与する患者にとって人間工学の課題がある。注入針が、たとえば手の末梢静脈に一旦挿入されると、その手で作業するのは困難になる。その手を継続的に使用するのはかなり不快感があり、または針が滑り出てしまう可能性がある。
【０００５】
たとえば、フォンビルブラント病に対する単一の治療セッションが、代表的には、それぞれ患者に送達されるｒＶＷＦを含む医薬品組成物で満たされた複数の注射器を必要とする。治療薬量を自己投与する患者にとって、針またはカニューレを腕に挿入されると、治療中にはその腕の使用を制限されるので、注射器を再装填するかまたは輸液セットに取り付けられた注射器を交換するのは困難であり得る。
【発明の概要】
【課題を解決するための手段】
【０００６】
要旨
治療液を投与するためのシステムおよび方法が提供される。本明細書で説明される特定のシステムおよび方法は、１人のユーザが自分自身で静脈内に治療液を投与することを許容するものである。本発明の主題は、場合によっては、相互関係がある製品、特定の問題に対する代替案、ならびに／あるいは１つまたは複数のシステムおよび／または用品の複数の異なる使用法を包含するものである。
【０００７】
一態様によれば注射器安定装置が提供される。注射器安定装置はベースおよび注射器支持体を含む。注射器支持体はベースの上に垂直に配設され、輸液セットの流体で満たされた部分をベースの上に垂直に引き上げて、流体で満たされた部分の送達端部を水平面に対して上方に配向し、流体で満たされた部分から患者への流体の送達中に、流体に対する重力の効果を利用する。注射器支持体は、第１の保定装置および選択的に作動されるチューブクランプを含む。輸液セットの剛直性部分は、ユーザのさらなる介入がなくても第１の保定装置の開口部の内部に収容かつ保持される。いくつかの実施形態では、選択的に作動されるチューブクランプが第１の保定装置と動作可能に整列され、可撓性チューブが、輸液セットの剛直性部分からチューブクランプを通って延在する。ユーザの第１の腕は、選択的に作動されるチューブクランプを解放するために使用されて、流体で満たされた部分の送達端部からの流体の流れを可能にする一方で、ユーザの第２の腕は、ユーザが第２の腕への流体の流れを受けるとき実質的に静止したまま、ベースに対して安定させる力を提供する。
【０００８】
いくつかの実施形態では、第１の保定装置は、注射器支持体の上面における長手方向スロットであり、長手方向スロットは、注射器バレルの内部に配設されたプランジャが送達端部に向かって下方に押し下げられるとき、摩擦によって、輸液セットの剛直性部分に接合されたバレルに固定するに十分な抵抗力で輸液セットの剛直性部分と係合する。注射器支持体は長手方向スロットと交差する横断スロットを含み得、チューブクランプは横断スロットの内部にあって、かつその中でスライド可能である。チューブクランプは、長手方向スロットと整列可能な開口部を有するチューブ受け部と、長手方向スロットに対して略横断方向にあるクランプ区分とを含み得る。クランプ区分は、チューブクランプが長手方向スロットの内部で長手方向スロットを横切る方向にスライドするとき輸液セットの可撓性チューブを締め付けるように構成された断面面積を有し得る。クランプ区分の断面面積はチューブ受け部の断面面積未満でよい。横断スロットは、横断スロットの長さと平行な方向に延在する窪んだ陥凹を有し得、チューブクランプは、陥凹の内部に凸状のスナップフィット保持部を有し、チューブクランプの内部で可撓性チューブをクランプおよび解放する作動の間、スロットの中を横切ることができる。長手方向スロットは、輸液セットの剛直性部分を収容かつ保持するように構成された第１の横断方向断面積を有する第１のセグメントと、可撓性チューブを収容かつ保持するように構成された第２の横断方向断面積を有する第２のセグメントとを有し得る。
【０００９】
いくつかの実施形態では、横断スロットは長手方向スロットの第２のセグメントと交差してよい。ベースは持運び可能でよく、人間工学的ハンドセットを含み得、ユーザは、第２の手で、ワーク面に対して人間工学的ハンドセットを係合させることにより、注射器安定装置を安定させる。
【００１０】
いくつかの実施形態では、人間工学的ハンドセットは、注射器支持体の上面の表面積よりも大きい表面積を有するベースの上面上に配置されてよい。ベースは、ユーザの第２の腕を載せる略平坦なワーク面によって支持されるようなサイズかつ形状にされた係合面を有し得る。製作を簡単にするために、注射器支持体は、垂直に配向されたステムによってベースと一体に接合される。注射器支持体は、輸液セットの部分を受け入れ、かつ輸液セットの部分を保持するように構成された長手方向スロットを有する上面をさらに含み得る。
【００１１】
いくつかの実施形態では、輸液セットの注射器バレルは、注射器バレルの送達端部が注射器プランジャの下で垂直にオフセットされて、注射器バレルがベースに対して高められた位置に保持されるように水平軸上の角度で配向される。この角度は５度よりも大きく、かつ９０度未満でよい。輸液セットの部分と長手方向スロットの間の摩擦係合は、バレルの内部に配設されたプランジャが送達端部に向かって下方に押し下げられるとき、注射器バレルの位置および配向を維持するに十分である。注射器安定装置はまた、注射器支持体の内部に取り外し可能なフィッティング受け部も含み、これは、輸液セットのフィッティングの部分を収容かつ保持するように構成されたスロットを有する。
【００１２】
別の態様によれば、注射器安定装置は持運び可能なベースおよび注射器支持体を含む。持運び可能なベースは、ワーク面および人間工学的ハンドセットに対して注射器スタビライザを支持する係合面を有する。ベースの上に垂直に配設された注射器支持体は、第１のチャネル、第２のチャネル、および選択的に作動されるチューブクランプを含む。第１のチャネルにおいて、長さ方向の開口部は、輸液セットの部分を受け入れ、かつ輸液セットの注射器バレルを水平軸の上で所定の角度で配向されるように保持するよう構成されている。この構成において、注射器バレルの送達端部は注射器プランジャの下で垂直にオフセットされ、注射器バレルはベースに対して高められた位置で保持される。その上、言及された角度は５度よりも大きく、かつ９０度未満である。また、第２のチャネルが第１のチャネルに対して横断方向であつて、かつそれと交差し、第２のチャネルの内部にはチューブクランプがスライド可能に配設されている。チューブクランプは、第１のチャネルと整列可能な開口部を有するチューブ受け部と、第１のチャネルに対して略横断方向にあるクランプ区分とを含む。クランプ区分の断面面積は、チューブクランプが第２のチャネルの内部を第１のチャネルに対して横断方向にスライドするとき、輸液セットの可撓性チューブを締め付けるように構成されている。
【００１３】
いくつかの実施形態では、ユーザは、注射器のバレルの送達端部からの流体の流れを可能にするように、ユーザの第２の腕を実質的に静止させたまま、ユーザの第１の腕でチューブクランプを解放することができる。加えて、ユーザが流体の流れを第２の腕に受けるとき、スタビライザは、ベースの人間工学的ハンドセットに対して安定させる力を提供する。注射器支持体は、垂直に配向されたステムによってベースと一体に接合されてよく、それとともに単一ピースの単体の構成を形成する。注射器安定装置は、注射器支持体の内部に取り外し可能なフィッティング受け部をさらに備えてよく、これは、輸液セットのフィッティングの部分をその中に収容かつ保持するように構成されたスロットを有する。
【００１４】
さらに別の態様によれば、本注射器安定装置はベースおよび注射器支持体を含む。注射器支持体はベースの上に垂直に配設され、輸液セットの流体で満たされた部分をベースの上に垂直に引き上げて、流体で満たされた部分を水平面に対して９０度未満の角度で上方へ角度付け、流体で満たされた部分から患者への流体の送達中に、流体に対する重力の効果を利用する。注射器支持体は、第１の保定装置および選択的に作動されるチューブクランプを含み得る。第１の保定装置の開口部は、ユーザのさらなる介入なしで輸液セットの剛直性部分を収容かつ保持し得る。選択的に作動されるチューブクランプが第１の保定装置と動作可能に整列され得、その結果、可撓性チューブが、輸液セットの剛直性部分からチューブクランプを通って延在する。ベースおよび注射器支持体の個々の配置は、治療液を自己投与している患者が、第１の腕でチューブクランプおよび流体で満たされた部分を操作する一方で、第２の腕を実質的に静止させたままベースに対して安定させる力を提供するとき、輸液セットによって第２の腕に治療液を受けることができるように、輸液セットの流体で満たされた部分を配向かつ保持し得る。
【００１５】
本発明の他の利点および新規な特徴が、本発明の種々の非限定的な実施形態の以下の詳細な説明から、添付の図とともに検討されたとき明らかになる。本明細書と、参照によって組み込まれる文献とが、矛盾する開示および／または一貫しない開示を含む場合には、本明細書が支配するものとする。参照によって組み込まれた２つまたはそれよりも多い文献が、互いに矛盾する開示および／または一貫しない開示を含む場合には、最近の発効日を有する文献が支配するも。
【００１６】
本発明の非限定的な実施形態が、原寸に比例にしない添付の概略図を参照しながら例として説明される。図では、図示されたそれぞれの同一の構成要素またはほぼ同一の構成要素は、一般的には単一の数字で表される。明瞭さのために、すべての図においてすべての構成要素にラベルが付けられるわけではなく、また、当業者が本発明を理解することを可能にするために解説が不要な場合には、本発明の各実施形態のすべての構成要素が示されるわけではない。
【図面の簡単な説明】
【００１７】
【図１】図１は、注射器バレルから患者へ治療液の流れを可能にするための開状態にあるチューブクランプを使用する一態様による注射器スタビライザの斜視図である。
【図２】図２は、閉位置にあるチューブクランプを示す、本発明の一態様による注射器スタビライザの斜視図である。
【図３】図３は、図２の注射器スタビライザの分解斜視図である。
【図４】図４は、図２の注射器スタビライザの平面図である。
【図５】図５は、図２の注射器スタビライザの底面図である。
【図６】図６は、図４の軸６−６に沿って得られた図２の注射器スタビライザの断面図である。
【図６Ａ】図６Ａは、図２の注射器スタビライザの注射器支持体の背面図である。
【図６Ｂ】図６Ｂは、図６に示された軸Ｂ−Ｂに沿って得られた断面図である。
【図７】図７は、本発明の一態様による注射器スタビライザの代替実施形態の斜視図である。
【図８】図８は、図７の注射器スタビライザの側面図である。
【図９】図９は、本発明の一態様による注射器スタビライザの代替実施形態の斜視図である。
【図１０】図１０は、図９の注射器スタビライザの側面図である。
【図１１】図１１は、本発明の一態様による注射器スタビライザの代替実施形態の斜視図である。
【図１２】図１２は、図１１の注射器スタビライザの側面図である。
【図１３】図１３は、本発明の一態様による注射器スタビライザの代替実施形態の斜視図である。
【図１４】図１４は、図１３の注射器スタビライザの側面図である。
【図１５】図１５は、図１３の注射器スタビライザの正面図である。
【図１６】図１６は、本発明の一態様による注射器スタビライザの代替実施形態の斜視図である。
【図１７】図１７は、図１６の注射器スタビライザの側面図である。
【図１８】図１８は、図１６の注射器スタビライザの正面図である。
【図１９】図１９は、本発明の一態様による注射器スタビライザの代替実施形態の斜視図である。
【図２０】図２０は、図１９の注射器スタビライザの側面図である。
【図２１】図２１は、図１９の注射器スタビライザの正面図である。
【図２２】図２２は、選択的に作動されるチューブクランプの斜視図である。
【図２３】図２３は、図２２の選択的に作動されるチューブクランプの側面図である。
【図２４】図２４は、図２３の選択的に作動されるチューブクランプの軸２４−２４に沿って得られた断面図である。
【図２５】図２５は、図２３の選択的に作動されるチューブクランプの軸２５−２５に沿って得られた断面図である。
【図２６】図２６は、図２３の選択的に作動されるチューブクランプの軸２６−２６に沿って得られた断面図である。
【図２７】図２７は、輸液セットの部分をともなう図２の注射器スタビライザの斜視図である。
【図２８】図２８は、輸液セットの部分を取り付けられた図２の注射器スタビライザの斜視図である。
【図２９】図２９は、輸液セットを取り付けられた図２の注射器スタビライザの斜視図である。
【発明を実施するための形態】
【００１８】
詳細な説明
本発明のいくつかの態様は治療液の投与に関する。いくつかの態様によれば、１人のユーザが自分で静脈内に治療液を投与することを可能にする装置が提供される。
【００１９】
本明細書では提供される注射器スタビライザが説明され、いくつかの実施形態では、上記で論じられた問題および他の問題を解決すること、ならびに従前の治療の送達デバイスによって提供されない利点および態様を提供することが説明される。本注射器スタビライザの特徴および利点の十分な議論は、添付図面を参照しながら進む以下の詳細な説明に譲る。
【００２０】
図を全体的に参照すると、注射器安定装置、すなわち簡単には注射器スタビライザ１０が図示されている。注射器スタビライザ１０は、ベース１４と、概してステム２２または以下でより詳細に説明される、ワーク面に対する所望の位置を達成するために適切な他の構造によって、ベース１４の上に垂直に配設された注射器支持体１８とを有する。一実施形態では、注射器支持体１８は、垂直に配向されたステムまたはアーム２２によりベース１８と一体に接合され、単一ピースの単体の一体式構造を形成する。
【００２１】
一態様によれば、いくつかの実施形態では、注射器スタビライザ１０の一般目的は、患者またはユーザが、第１の腕を相対的に静止させるかまたは動きを止めたまま、第２の腕を使用して、薬を担持する注射器を操作して、輸液セットによる輸液療法または薬を自己投与するのを可能にすることである。このようにして、注射器スタビライザ１０は、薬を担持する容器（すなわち注射器）を引き上げ、支持、かつ配向し得る一方で、注射器からの薬送達も調整し得る。これらの注射器スタビライザ１０は、人間工学的で概して持運び可能であり、卓上で使用するようなサイズ、形状、構築として構成される。
【００２２】
いくつかの実施形態では、ステム２２は注射器スタビライザ１０の高さを設定する。注射器スタビライザの高さは、概して、輸液セットからの針またはカニューレが患者／ユーザの腕の内部にセットされる間、ユーザが注射器のプランジャを作動させることができる快適なユーザレベルで注射器を配置するように選択される。いくつかの実施形態では、注射器スタビライザの高さは２インチ〜１０インチ（５．１ｃｍ〜２５．４ｃｍ）であり得る。
【００２３】
図２〜図６に図示された一実施形態では、ベース１４は上面２６および反対の下部面３０を有する。この実施形態では、ベース１４は卵形の楕円形状であり得る楕円形を有し、図示のような幅の広い卵形でもよい。このベース１４の形状は、安定性をもたらすために幅よりも長さが大きく、図２〜図６に示された幅の広い卵形の形状は、ほぼステム２２において交差する長軸と短軸を有する。
【００２４】
下部面３０は、シート３８の内部にリング３４を有する。リング３４は、柔軟な弾性素材から生産されてよく、それによってベース１４とベース１４を支持するワーク面の間の摩擦が増加する。リングは、摩擦すなわち機械的はめ合い、接着接合、溶接、またはマルチショット成形によってベースに固定され得る。したがって、リング３４は、ユーザが腕を載せるように略平坦で水平に配向されたワーク面に対する係合面をもたらし得る。
【００２５】
いくつかの実施形態では、上面２６は人間工学的特徴またはハンドセット４０を有し得る。この人間工学的特徴４０は、ユーザが、使用中に注射器スタビライザ１０を強化、支持または安定させることができるように配置される。図２〜図６に図示された人間工学的特徴４０は、ベース１４の卵形の形状によって提供される。卵形の形状は、本質的に、長軸に沿って上面２６の表面積を拡張し、ユーザの手または腕が容易に到達するアヒルのくちばし（ダックビル）または舌を形成し、上面２６に力を提供し、使用中の不要な移動または望ましくない移動に対して注射器スタビライザを強化する。ここで、ベース１４の上面２６の表面積は注射器支持体１８の上面の表面積よりも大きい。
【００２６】
図７〜図１８に図示された他の実施形態では、人間工学的特徴またはハンドセットは指輪４２などの１つまたは複数のフィンガレシーバである。
【００２７】
図２〜図２１に図示された実施形態による注射器支持体１８は、構造上は、ユーザまたは患者に対する流体の治療送達の全体にわたって輸液セット４４を所望の位置に維持するように構成されている。これは、ユーザがプランジャ５０を作動させて、流体を、注射器バレルから管５４を通し、カニューレまたは針５８を介してユーザに自分の腕に押し込む間に注射器４６を保持することを含む。
【００２８】
図２〜図１５および図１９〜図２１に示されるように、注射器支持体１８は、注射器４６の送達端部６２を、プランジャ５０が挿入される対向端部６６のベースの上の垂直高さよりも低いベース１４の上の垂直高さに位置決めするような角度で、注射器４６を配向し得る。この位置決めは、重力の効果を利用する一方で、ユーザにとってプランジャ５０にアクセスして作動させる際の快適さおよび人間工学的な使いやすさの点で有利な場所および位置にプランジャ５０を置く。
【００２９】
いくつかの実施形態では、注射器支持体１８は、輸液セット４４の剛直性部分を収容する第１のチャネルなどの保定装置を有する。第１のチャネルは、ほぼ注射器４６の送達端部６２である、輸液セット４４のこの剛直性部分、またはスナップフィット配置などの摩擦係合によるフィッティングを受け入れ、かつ保持するように構成されている。第１のチャネルの構成により、輸液セット４４の注射器バレル６８は、注射器バレル６８がベース１４に対して高められた位置に保持されて、注射器４６の送達端部６２が注射器プランジャ５０の下で垂直にオフセットされるような角度で水平軸の上に配向され得、この角度は、５度よりも大きく、かつ９０度未満であり、いくつかの実施形態では５度と７５度の間にあり、いくつかの実施形態では約１５度である。
【００３０】
図２〜図２１に図示されたように、いくつかの実施形態では、第１のチャネルは、注射器支持体１８の上面７２における長手方向の第１のスロット７０である。それゆえに、第１のスロット７０は、輸液セットの部分を受け入れるように構成された長さ方向の開口部を有し、これは、代表には、ルアーフィッティングなどの注射器バレル６８に取り付けられたチューブコネクタなど、フィッティング７４の狭い延長部である。第１のスロット７０は、その形状がフィッティングの狭い延長部の形状と相補形になるように、テーパー状でよい。一実施形態では、第１のスロット７０は、輸液セット４４の剛直性部分を収容かつ保持するように構成された第１の横断方向断面積を有する第１のセグメントと、可撓性チューブ５４を収容かつ保持するように構成された第２の横断方向断面積を有する第２のセグメントとを有する。
【００３１】
たとえば図６Ａに図示されたように、いくつかの実施形態では、フィッティング受け部７６は、注射器４６を注射器支持体１８の内部にさらに保持するように、第１のチャネルの内部に配置されてよく、または第１のチャネルと連通してよい。フィッティング受け部７６は、サイズおよび形状などにおいて、フィッティングの部分を収容するように構成されている。たとえば、図示のフィッティング受け部７６は、中央のアーチ形区分８０によって分離された対向するスロット７８を有する。フィッティング受け部７６のこの配置は翼状フィッティング７４を補完し、フィッティング７４に配置された対向する翼がスロット７８の中に挿入され得、フィッティング７４のアーチ形の中央セグメントがフィッティング受け部７６のアーチ形区分８０の内部に収容される。このフィッティング受け部７６は、注射器支持体１８の内部のスナップフィットである取り外し可能な挿入物として提供されてよく、構造上多様な輸液セットのフィッティング７４を受け入れるように、フィッティング受け部７６は、異なるフィッティング受け部７４と交換され得る。たとえば、フィッティング受け部７６のスロット７８およびアーチ形区分８０は、サイズ、配向および形状などで、特定の輸液セットのフィッティング７４を受け入れるように構成され得る（図１６と図１９を比較されたい）。
【００３２】
図６Ｂに図示されたように、いくつかの実施形態では、アーチ形区分８０の前方にある高くなった平坦なアバットメント表面８２は、セットアセンブリを案内するための視認キューを提供する。フィッティング７４は、フィッティング受け部７８に、この表面８０に対して当接するまで挿入される。アバットメント表面８０は、フィッティング７４に適合するために、どこにかつどの深さにそれらが命令されるのかをユーザにとってより明白になるように、好対照をなす色で印を付けられてよい。
【００３３】
いくつかの実施形態では、注射器支持体１８は、第１のチャネルと交差して横切る第２のチャネルも有する。一実施形態では、第２のチャネルは、第１のスロット７０の第２のセグメントと交差する。いくつかの実施形態では、選択的に作動されるチューブクランプ８４が第２のチャネルの内部に配設され、その中でスライド可能である。図示の実施形態では、第２のチャネルは第２のスロット８６である。第２のスロット８６は、直立した側壁９０に窪んだ陥凹８８を有する。陥凹８８は、第１のスロット７０を横切って第２のスロット８６の全長に及ぶように、第２のスロット８６の内部で長さ方向に延び、したがって、第２のスロット８６の長さと平行に、または補足する方向に延在する。
【００３４】
いくつかの実施形態では、第２のスロット８６の内部にチューブクランプ８４が配設されている。チューブクランプは、図２２〜図２６において個々に図示されている。チューブクランプ８４は、開口部９８を有するチューブ受け部９４を有し、それは、チューブクランプ８４と第１のスロット７０の間の相対運動に際し、第１のスロット７０と整列することができる。開口部９８は、第１のスロット７０の内部に存在するチューブの断面の長さを受け入れるに十分に大きい。チューブ受け部９４はさらに、開口部９８と連通し、かつにこれとは略横断方向にあるクランプ区分１０２を有する。
【００３５】
クランプ区分１０２は、輸液セット４４の可撓性チューブ５４の断面積よりも実質的に小さい断面積を有するスロット状の構造を有する。ここで、「実質的に」という用語は、クランプ区分１０２の断面積が管５４の断面積よりも小さいことを表し、ここで、管５４は、管５４がクランプ区分１０２の内部にあるとき、管を通る流体の流れを制限するかまたはなくするように、締めつけ、かつ閉鎖する。クランプ区分１０２のスロット状の構造は直立壁９０に対して所定角度で配向され、いくつかの実施形態ではそれに対して垂直である。
【００３６】
図１は開状態のチューブクランプ８４を示す。チューブクランプ８４が開状態のとき、注射器バレル６８の内部の治療液がユーザへ流れることができる。図２は閉状態に転じたチューブクランプ８４を示す。閉状態では、チューブ５４がチューブクランプ８４のクランプ区分１０２内で締めつけられているため、治療液が患者に送達され得ず、ユーザからの血液のいかなる流れも制限される。
【００３７】
チューブクランプ８４は、直立壁９０の第２のスロット８６における窪んだ陥凹８８の内部に保持された凸状の保持部１０４を有する。陥凹８８の内の保持部１０４の組合せは、第２のスロット８６内でチューブクランプ８４を適切な位置および配向に維持するとともに、チューブクランプ８４がスロット８６内にあることを可能にする。
【００３８】
いくつかの実施形態では、チューブクランプ８４の上面の角度βは、注射器支持体１８の上面７２の角度とほぼ等しい。この構造上の配置は、注射器支持体１８の第２のスロット８６内のチューブクランプ８４と注射器支持体１８の上面７２の隣接部分との間の滑らかな遷移を提供し得る。
【００３９】
図１および図２７〜図２９に図示されたように、図２〜図６の注射器スタビライザ１０は以下の様式で使用され得る。ベース１４が安定なほぼ水平である安定なワーク面上に支持されて、フィッティング７４により接続されている管５４を備えた流体充填バレル６８を有する注射器４６が第１のスロット７０で挿入され、その一方、フィッティング７４がフィッティング受け部７６内に挿入される。チューブクランプ８４のチューブ受け部９４は、管５４が第１のスロット７０に収容されるように第１のスロット７０と整列する。チューブクランプ８４は、第１のスロット７０を横切る、クランプ区分１０２の方向とは反対の方向にスライドすることにより、第２のスロット８６の内部で選択的に作動される。チューブクランプ８４と第１のスロット７０の間の相対運動により、管５４が締めつけられ、かつ閉じられる。この例では、クランプ区分１０２が管５４と係合したとき、管５４と第１のスロット７０の間の係合によって管５４が静止位置に固定され、クランプ区分１０２の断面積と管５４の間の相違により、クランプ区分１０２の内部で管５４が締めつけられ、管５４の内部の流体の流れが妨げられる。これによって、ユーザが輸液セット４４による治療投与のプロセスを始めるとき、注射器４６をユーザに対する望ましい位置に引き上げ、クランプし、配向かつ保持することができる。ここで、ユーザの腕は、第２の腕１１０でカニューレ５８を操作しながら第１の腕１０６にカニューレまたは針５８を自由に挿入する。したがって、ベース位置および注射器支持体位置の配列は、治療液を自己投与する患者が、第１の腕１０６でチューブクランプ８４および流体で満たされた部分を操作する一方で、第２の腕１１０を実質的に静止させてベース１４に対して安定させる力を提供しながら輸液セットによって第２の腕１１０が治療液を受けることができるように、輸液セット４４の流体で満たされた部分を位置決め、配向、かつ保持する。安定させる力は、チューブクランプ８４の操作中に、少なくともユーザの第１の腕１０６によるプランジャ５０の作動を通じて第２のスロット８６の内部のチューブクランプ８４のスライドを一例とするワーク面に沿った注射器スタビライザ１０の移動に耐えるように、十分に大きくなければならない。
【００４０】
たとえば図１に図示されたように、ユーザは、第２の腕１１０にカニューレ５８を挿入された状態で、第２の腕１１０で、代表的には手で、人間工学的特徴４０などベース１４の特定部分と係合することにより、ベース１４を安定させ得る。ユーザは、第１の腕１０６を使用してチューブクランプ８４と注射器支持体１８の残りの部分の間を相対運動させることにより、チューブクランプ８４を選択的に作動させてよい。ここで、ユーザは、第２のスロット８６の内部でチューブクランプ８４をスライドさせて、チューブクランプ８４による管５４の締めつけを解放する。次いで、ユーザは、第１の腕１０６を使用してプランジャ５０を作動させ、流体を、カニューレ５８を通して第２の腕１１０に押し込む。これによって、ユーザの第２の腕／手１１０が実質的に静止したまま、注射器４６の流体で満たされた部分の送達端部６２からの流体の流れが可能になり、ユーザが第２の腕１１０への流体の流れを受けるとき、ベース１８に対して安定させる力を提供する。当然、バレル６８の内部に配設されたプランジャ５０が注射器４６の送達端部６２に向かって下方に押し下げられるとき、輸液セット４４と第１のスロット７０の間の摩擦係合が、輸液セット４４の剛直性部分に接合された注射器バレル６８の位置および配向を維持するに十分な抵抗力をもたらす。
【００４１】
図１〜図６に図示された一実施形態によれば、フィッティング受け部７６のアーチ形区分８０は、輸液セット４４のルアーフィッティング７４の部分またはハブを最小のクリアランスで受け入れる。アーチ形区分８０における開口部は面取り縁部を有し、ユーザがこの面積にルアーハブを係合／挿入することをより容易にする。これは、ルアーを、テーブル表面の上方に約２インチ〜２．７５インチ（５ｃｍ〜７ｃｍ）、わずかに上向きの角度（水平に対して１０度〜２０度）に位置決めし得、ユーザは、手１０６、１１０のいずれかをテーブル表面から持ち上げるかまたはテーブル表面上に載せて、取り付けられた注射器４６を快適に動作させることが可能になる。
【００４２】
注射器４６のフィッティング７４との間の接続中または取り外し中に自由な回転を防止するために（すなわち抵抗トルク）、ルアーフィッティング７４の翼状部は、アーチ形区分８０に隣接する対向するスロット７８内に収容されてよい。場合によっては、翼状部とアーチ形区分８０のクリアランスが大きすぎると、フィッティング７４の翼状部に対する損傷のリスクが増大する恐れがある。本発明者は、試験を通じて、たとえば図１９に示された３時と９時の構成の対向したスロット７８が使用され得ると判定した。他の実施形態では、「×」のスロットパターンまたは「＋」のパターンなど、スロット７８の他の構成が使用され得る。
【００４３】
アーチ形区分８０の前方におけるアバットメント表面８２は、スタビライザ１０の使用を案内するための目に見えるキューをもたらす。ルアーハブは、このアバットメント８２に対して底に達するまで挿入される。
【００４４】
いくつかの実施形態では、ベース１４は、約２．３６インチ×４．７２インチ（６ｃｍ×１２ｃｍ）の偏長形状である。この特徴は、平坦なテーブルの表面にしっかりと着座する。この特徴は、ステム２２の左側と右側の両方に、約０．７９インチ〜１．１８インチ（２ｃｍ〜３ｃｍ）延在する。ステム２２の背後ろの１．１８インチから１．９７インチ（３ｃｍ〜５ｃｍ）のわずかに大きい延長部と、注射器４６を動作させない第２の腕１１０を休止させることの快適さが改善する（図３０を参照されたい）。ユーザは、ステム２２のまわりまたはそばで指／手のいずれかを休止させ得る。ステム２２の前方の延長部が２．３６インチ〜３．１５インチ（６ｃｍ〜８ｃｍ）とさらに大きければ、３０ｃｃまで満たされて取り付けられた注射器４６の重さと平衡する。これはまた、パッド印刷、エンボス、レーザマーキングなどによる、商標／アートワーク、グラフィカル指示または他の所望の標識に適する広い表面を提供する。あるいは、図１に図示されたように、第２の腕１１０はこの区分に据えられ得る。
【００４５】
いくつかの実施形態では、下部ベース１４の高さは低くてよく、縁部はたとえば手の快適さのために丸められてよい。ベース１４の底面３０は、エラストマのリング３４をしっかりと圧入するようなサイズにされた周囲溝３８を取り込み得る。リング３４の目的は、注射器スタビライザ１０がテーブル表面に対してスライドするのを防止することにある。この実施形態では、Ｍａｒｃｏ  Ｒｕｂｂｅｒの部品番号ＳＢ１０００−１５２（標準寸法Ｓ１５２、７０Ａブラックブナ角リング）が溝３８に適合し得る。Ｏリングなどの他のリング断面が可能である。必要に応じて、リング構成は調節されてよく、かつ／またはクリーニング処理によって粘着性がさらに向上し得る。溝の高さは、露出した方形リングとテーブル表面の間の十分な接触を可能にし得るものである。構造の剛直性を増すために、中央から周囲へ八方に広がるリブのパターンが追加されてよい。
【００４６】
ステム２２はベース１４から垂直に延在する。いくつかの実施形態では、ステムの直径は約０．４０インチ〜０．７９インチ（１ｃｍ〜２ｃｍ）であって、適切な構造向けに十分に大きく、ユーザがステム２２のまわりに指を休止させることができるように十分に小さい。ステムの高さは１．１８インチ〜１．９７インチ（３ｃｍ〜５ｃｍ）であって、１ｃｍ未満のブレンド半径は、手に対して適切なクリアランスを可能にし得る一方でアセンブリの全体サイズを最小にする。
【００４７】
いくつかの実施形態では、注射器支持体１８はステム２２の上に位置する。第１のスロット７０は、管５４を受け入れるように面取りされた開口部である。第２のスロット８６は、製造プラントにおいてスナップフィット特徴を係合させる下向きの押し込みによってアセンブルされたチューブクランプ８４構成要素を受け入れる。スナップフィットの幾何学的特徴および材料の選択は、たとえば清掃可能性を改善するために、クランプの容易な取り外しを許容し得る。代替実施形態では、係合の程度が増加され得、一方向スナップ構成のためのスナップフィットの角度が調節され得る。搭載面積の側面は実質的に内部が取り除かれてもてよく（すなわち材料を除去されてよく）、射出成形によって製作性を改善するように設計され得る。
【００４８】
いくつかの実施形態では、チューブクランプ８４は、注射器支持体１８の上面７２とほぼ同じ平面に着座する平坦な上面を含む。この平坦な上面は、「ＯＰＥＮ」および開のクランプ位置を示す矢印など、容易に読むことができる（約３ｍｍ〜５ｍｍの高さの）印刷またはエンボス加工されたテキストおよび記号を可能にし得る。このより広いクランプ面はまた、製造中に不正確なクランプ配向を防止し得る。チューブクランプ８４は、ベースから目立つ色すなわち好対照をなす色に成形されてよい。
【００４９】
いくつかの実施形態では、チューブ受け部９４の開口部９８は、約０．１６インチ〜０．２０インチ（４ｍｍ〜５ｍｍ）である。クランプが図１に図示されたような開位置にあるとき、開口部９８は第１のスロット７０と整列する。クランプ開口部９８はクランプ区分１０２に通じ、これは、ユーザがクランプ８４を閉位置へ完全にスライドさせたとき管を締めつける狭めたスロット（約０．０２５インチ〜０．０３５インチ（０．６ｍｍ〜０．９ｍｍ））である。この面積における縁部は、クランプ中に管を切るリスクを低減するように調和されてよい。可撓性チューブの壁が流れを閉鎖する／制限するように崩壊するので、クランプが起こり得る。（クランプからベース、クランプからチューブの）摩擦が制限されているので、たとえば８ポンドまでの小さな力でクランプ動作が可能になり得る。管をクランプすると、流れが阻止されるとともにスタビライザアセンブリにおけるセットの軸方向移動も防止される。
【００５０】
いくつかの実施形態では、クランプ８２の両端に約０．４インチ×０．４インチ（１ｃｍ×１ｃｍ）の平坦なパッドがあって、クランプ８４を動作させるのに快適かつ直観的な表面をもたらす。この面積の縁部およびスタビライザアセンブリのすべての露出した縁部は、ユーザの快適さのために調和される。
【００５１】
ベース１４およびクランプの構成要素向けに、ポリオレフィン材料（ポリエチレン、ポリプロピレン）または他のコスト効率の良い可塑性樹脂（ＡＢＳ、ＰＣ、ポリスチレンなど）が使用され得る。いくつかの実施形態では殺菌は不要である。高密度ポリエチレンは、皿洗い機のサイクルにもかけられるほどのクリーニング可能性および家庭の清浄液との全体的な適合性のために、材料として使用され得る。ゴム、シリコーンまたは熱可塑性エラストマを含むいろいろな材料がリング成分に使用されてよい。ベース要素の底面には、２ショットまたはオーバーモールドするエラストマ材料によって類似の機能が達成され得る。
【００５２】
一態様によれば、スタビライザデバイス１０は使いやすさを改善することによって注入経験を向上し得る。図２９に図示されたように、スタビライザデバイス１０によって治療液の複数の注射器４６の取扱い／注射が簡単になる。図２９上の矢印は、ルアーフィッティング７４に対してねじ止めされた注射器４６を反時計回りに回転させて、ルアーフィッティング７４から注射器４４を下の矢印の方向に外向きに取り外し得ることを示す。新規の注射器４６は、ルアーフィッティングへ上の矢印の方向に挿入して時計回りに注射器４６を回転させることにより、ルアーフィッティング７４にねじ止めすることができる。
【００５３】
より具体的には、注射器スタビライザ１０は以下のように使用され得る。ユーザは、チューブクランプ８４を（たとえば図２７に示された）開位置へスライドさせて、輸液セット４４の管５４を第１のスロット７０に据える。ユーザは、ルアーフィッティングが注射器支持体１８の内部にしっかりと適合するまで、フィッティング受け部７６の開口部のスロット７８にルアーフィッティング７４の翼状部をスライドさせる。
【００５４】
注射器４６を交換するために、チューブクランプ８４は、第２のスロット８６の内部で（たとえば図２に示された）閉位置まで移動され、すなわちスライドされ、閉位置では、管５４がチューブクランプ８４のクランプ区分１０２の内部で締めつけられ、かつ閉じられる。ルアーフィッティング７４にねじ止めされた空の注射器４４は、第２の腕１１０でベース１４を支持するかまたは安定させながら第１の腕１０６で注射器４６を反時計回りに回転させることにより、ルアーフィッティング７４から取り外される。このように、注射器４６を交換または変更するとき、ユーザの第２の腕１１０から輸液セット４４のカニューレ５８を取り外す必要はない。治療液を十分に装填された新規または置換の注射器４６を接続するために、第２の腕１１０でベース１４を安定させながら、第１の腕１０６を使用して送達端部６２がルアーフィッティング７４に挿入され、注射器４６を時計回りの方向に回転させることによってねじ止めされる。次いで、ユーザは、第２の腕１１０を、ベース１４を安定させるのに使用したまま、第１の腕１０６を使用してチューブクランプ８４を開位置へスライドさせる。次いで、ユーザは、第２の腕でベース１４を安定させながら、第１の腕１０６を使用してプランジャ５０を注射器４６の送達端部６２に向かって押し進め、第２の腕１１０に流体を押し込む。
【００５５】
一態様によれば、スタビライザデバイス１０により、ユーザは、片手で複数の注射器４６を輸液セット４４に接続したり切り離したりすることができ、他方の手でこのセットを直接取り扱うことはない。スタビライザは、輸液セット４４のルアーフィッティング７４を、テーブル表面の上の固定された一段高められた位置に効率よく留める。
【００５６】
一態様によれば、スタビライザ１０は、ユーザが、オープンセットからの漏れ（すなわち血圧によるもの）のリスクおよび注射器交換中にオープンセットが接触汚染するリスクを最小にするのを支援する。いくつかの実施形態では、スタビライザデバイス１０が含むチューブクランプ８４は、活性化されたとき、デバイス１０において管５４を閉鎖し、かつ留める。スタビライザ１０によって支持されているルアーフィッティングに必要とされるのは、あまり直接的でないルアーフィッティング７４の取扱いである。いくつかの実施形態では、チューブクランプは、閉じたとき、針における約３１ｍｍＨｇ（０．６ｐｓｉ）の圧力にさらされた状態で、輸液セットを通る流体の流れを防止する。
【００５７】
一態様によれば、ユーザが注射器４６の握りを解放したとき、スタビライザ１０は、安定したハンズフリーのやり方で、満ちた注射器４６の重さを支持することができる。
【００５８】
一態様によれば、スタビライザ１０は、ユーザが取り付けられた注射器４６を快適に動作させ得るように、取り付けられた注射器４６の適切な位置と、そのまわりの適切なクリアランスとを可能にする。たとえば、ユーザは、代替として、投与中に、注射器４６を動作させている手１０６をテーブル表面の上に上げるかまたはテーブル上に載せることができる。
【００５９】
一態様によれば、スタビライザ４６は流体と接触しない。したがって、この簡単な付属品は再使用可能であって殺菌は不要である。スタビライザの材料および設計は、軽量、可搬、浄化可能、再利用可能、かつ低コストのシステムをもたらす。
【００６０】
特定の実施形態が図示され、説明されてきたが、本発明の精神から著しく逸脱することなく多くの修正形態が思い浮かび、保護の範囲を限定するのは添付の特許請求の範囲のみである。
【図１】
2019520141.tif 000003
【図２】
2019520141.tif 000004
【図３】
2019520141.tif 000005
【図４】
2019520141.tif 000006
【図５】
2019520141.tif 000007
【図６】
2019520141.tif 000008
【図６Ａ】
2019520141.tif 000009
【図６Ｂ】
2019520141.tif 000010
【図７】
2019520141.tif 000011
【図８】
2019520141.tif 000012
【図９】
2019520141.tif 000013
【図１０】
2019520141.tif 000014
【図１１】
2019520141.tif 000015
【図１２】
2019520141.tif 000016
【図１３】
2019520141.tif 000017
【図１４】
2019520141.tif 000018
【図１５】
2019520141.tif 000019
【図１６】
2019520141.tif 000020
【図１７】
2019520141.tif 000021
【図１８】
2019520141.tif 000022
【図１９】
2019520141.tif 000023
【図２０】
2019520141.tif 000024
【図２１】
2019520141.tif 000025
【図２２】
2019520141.tif 000026
【図２３】
2019520141.tif 000027
【図２４】
2019520141.tif 000028
【図２５】
2019520141.tif 000029
【図２６】
2019520141.tif 000030
【図２７】
2019520141.tif 000031
【図２８】
2019520141.tif 000032
【図２９】
2019520141.tif 000033
【国際調査報告】
2019520141.tif 000034
2019520141.tif 000035
2019520141.tif 000036
2019520141.tif 000037